(57)【特許請求の範囲】
【請求項１】
多数のフイルムカートリッジを収容するためのマガジンであって、上記マガジンは多数のスリーブを有する少なくとも１個の貯蔵円板を備え、上記スリーブは両端に開口を有する通路を形成して上記両端開口間に少なくとも１個のフイルムカートリッジを収納し、上記マガジンは上記の少なくとも１個の貯蔵円板の近傍に配置されるシャッター機構を備え、上記シャッター機構は第１出入口と第１中心回転軸芯を有する第１の分配円板と、第１の分配円板の近傍でそれと協働する第２の分配円板とを備え、上記第２の分配円板は上記第１中心軸芯と同芯の中心回転軸芯と１個の第２の出入口とを備え、第２の出入口は上記第２の分配円板の上に位置して上記第１の及び／又は第２の分配円板が上記中心回転軸芯のまわりを回転する時、上記第２分配円板の第２出入口が上記第１分配円板の上記第１出入口と整合可能であり、
上記第１，第２回転中心軸芯のまわりで上記第１及び第２の分配円板を付勢して、上記第１及び第２の分配円板の出入口を整合位置と非整合位置に可動とする手段を備えている。
【請求項２】
請求項１によるマガジンにおいて、上記第１，第２分配円板を上記中心軸芯まわりに付勢する上記付勢手段は少なくとも１個のスプリング部材を備え、このスプリング部材は一端が上記第１分配円板に連結され、他端が第２分配円板に連結されて、上記第１，第２円板に円周方向の付勢力が発生するようにされている。
【請求項３】
フイルムカートリッジをフイルムカートリッジマガジンへ分配したり挿入する方法であって、上記マガジンは少なくとも１個の貯蔵円板を備え、その貯蔵円板は両端の開口した通路からなる多数のスリーブを備えて上記両端開口間に少なくとも１個のフイルムカートリッジを保持するように構成し、上記マガジンは上記の少なくとも１個の貯蔵円板の近傍に配置されるシャッター機構を備え、上記シャッター機構は第１出入口と第１中心回転軸芯を有する第１の分配円板と、第１の分配円板の近傍で協働する第２の分配円板を備え、上記の第２の分配円板は上記第１中心軸芯と同芯の中心回転軸芯と１個の第２の出入口とを備え、第２の出入口は上記第２の分配円板の上に位置して上記第１の及び／又は第２の分配円板が上記中心回転軸芯のまわりを回転する時、上記第２分配円板の第２出入口が上記第１分配円板の上記第１出入口と整合可能であり、
上記第１，第２回転中心軸芯まわりで上記第１及び第２の分配円板を付勢して、上記第１及び第２の分配円板の出入口が整合位置と非整合位置に可動とする手段とを備え、
上記第１及び第２の分配円板を回転させて出入口が整合した時、フイルムカートリッジを上記スリーブへ挿入又はスリーブから取出す工程を備えている。
【発明の詳細な説明】
【０００１】
【発明の属する技術分野】
本発明は写真の分野で使用するためのマガジン（カートリッジ収納容器）に関するもので、多数のフイルムカートリッジ（フイルム収納容器）を写真仕上げ工程で取扱い易くする。
【０００２】
【従来の技術】
関連出願としては共通に譲渡された米国特許出願第０８／３３６５９９号（代理人整理番号第７０１０７号）が同時にトーマス・シー・マーレ、デール・ダブリュ・リヤン、ワルター・シー・スラッター、デービッド・エル・ローデン、ジェラルド・エフ・シャーマン及びアルフォンソ・イアニの名前で出願されており、表題はフイルムカートリッジ回収工具であり、米国特許出願第０８／１７２０１３号、出願日１９９３年１２月２２日、表題はフイルムカートリッジマガジンが、デニス・エフ・ティアネロ、アルフォンソ・イアニ、ジョン・エイ・ロマンスキイ、ジェラルド・エフ・シャーマン二世、ウィリアム・ティ・マシアス及びラルフ・イー・ウィリアムスの名前で出願されており、その開示内容は本件出願内容に取り込まれている。
【０００３】
１９９３年１２月２２日に出願され、表題はフイルムカートリッジマガジン、出願人デニス・エフ・ティアネロ、アルフォンソ・イアニ、ジョン・エイ・ロマンスキイ、ジェラルド・エフ・シャーマン二世、ウィリアム・ティ・マシアス及びラルフ・イー・ウィリアムスによる米国出願第０８／１７２０１３号には、多くの異なった出願に使用するのに適したカートリッジマガジンが開示されている。このマガジンは少なくとも１個の円板形芯部材を備え、その芯部材はその周辺に配置された多数のスリーブを持ち、隣接芯部材のスリーブと整合している。各スリーブはフイルムカートリッジを収納するように設計されている。上記マガジンは上端と下端の芯部材に隣接したシャッター機構を備えており、マガジンへのカートリッジの挿入とマガジンからのカートリッジの取出しを制御できるようになっている。スリーブはフイルムカートリッジがマガジンを容易に通過できるように設計されている。この種のマガジンで重要なことは、手動で、又は機械で自動的に使用するいずれの場合でも信頼性があり、使用が容易であることである。カートリッジが不用意にマガジンから脱出しないことも又重要である。更に操作上の標準としては、カートリッジがスリーブを容易に通過でき、かつマガジン内におけるカートリッジの詰りが最小限にされていることである。
【０００４】
【発明が解決しようとする課題】
本発明はシャッター機構を有するマガジンを提供するもので、シャッター機構は手動又は機械による自動で操作することができ、構造が簡単で使用が容易である。このマガジンは又カートリッジがマガジンから事故で飛び出してきたりフイルムカートリッジとシャッター機構との間で詰ることが起る可能性が最小となるように設計されている。シャッター機構の開位置と閉位置を限定するための積極的な停止手段が準備されている。
【０００５】
【課題を解決するための手段】
多数のフイルムカートリッジを収納するためのマガジンとその使用方法である。このマガジンは多数のスリーブを有する少なくとも１個の貯蔵円板を備え、上記スリーブは両端に開口を有する通路を形成して上記両端開口間に少なくとも１個のフイルムカートリッジを収納している。このマガジンは上記の少なくとも１個の貯蔵円板の近傍に配されるシャッター機構を備えている。このシャッター機構は第１出入口と第１中心回転軸芯を有する第１の分配円板と、第１の分配円板の近傍でそれと協働する第２の分配円板とを備えている。上記の第２の分配円板は上記第１中心軸芯と同芯の中心回転軸芯と１個の第２の出入口とを備えている。第２の出入口は上記第２の分配円板の上に位置して上記第１の及び／又は第２の分配円板が上記中心回転軸芯のまわりを回転する時、上記第２分配円板の第２出入口が上記第１分配円板の上記第１出入口と整合可能である。上記第１，第２回転中心軸芯のまわりで上記第１及び第２の分配円板を付勢して、上記第１及び第２の分配円板の出入口が整合位置と非整合位置に可動とするスプリングが備えられている。
【０００６】
【発明の実施の形態】
これらの、及び他の本発明の特徴及び利点は以下の好ましい実施例の詳細な説明と添付の請求の範囲からより明確にされるであろう。
【０００７】
図１ないし図９に関連して、そこには本発明によるマガジン１０が図示されている。このマガジン１０は多数の芯部材１２を備え、図示実施例の芯部材は１２ａ、１２ｂ、１２ｃ、１２ｄ、１２ｅ、１２ｆのように分割して示されている。各芯部材１２は一般に円板形輪郭を備え、又多数のスリーブ１４を周囲にあらかじめ定められた形で備えている。各隣接芯部材１２のスリーブ１４は隣接芯部材１２のスリーブ１４と同芯状に整列するように設計されている。各芯部材１２のスリーブ１４はその中にフイルムカートリッジ１５（図７に示すような）を受入れるように設計されている。好ましくは、スリーブはフイルムカートリッジがスリーブの中を抵抗を受けることなく自由に摺動できる大きさである。各芯部材１２は多数の上向き突出部材２０を有するハブ１８を備えている。上向き突出部材２０は錠部材２１を備え、隣接芯部材のハブ１８の底面に形成されている環状凹部２３に係合するように設計され、従ってそれらは容易に一体にロック可能である。上部の環状突出部材２０は充分に可撓性があり、芯部材１２を共に保持する半径方向外向きの力を備え、これにより隣接したスリーブ１４の間に連続した通路が形成される。突出部材２０に可撓性があるので、隣接芯部材は軸方向Ｘ−Ｘの充分な量の力を加えることにより突出部材２０を凹部２３から外して分解することができる。勿論、隣接芯部材１２を互いに分離可能に係合するために、他の好ましい手段を採用できることは理解されることである。極めて明白なように、希望数の芯部材１２を配置することができる。図示の特殊な実施例では、６個の芯部材１２が用意され、各芯部材は１２のスリーブ１４を備えている。かくして、図示の実施例では、マガジン１０は１２０個のフイルムカートリッジを保持することができる。隣接芯部材１２の間のスリーブ１４が同芯に整列していることを適当に確認するために、手段が用意され、従って隣接芯部材１２は速やかに整列することができる。図示の特殊な実施例では、ハブ１８は環状突出部材２６を備え、この部材は突出部材２０の半径方向外側にあり、かつスリーブ１４の半径方向内側にある。この環状部材２６は多数の互い違いの段状隆起２８と段状凹部３０（図４参照）を備え、これらは隣接ハブ１８の対応する段状凹部３２と段状隆起３４に噛合うように設計されている。隆起２８，凹部３０，３２及び突起３４はそれらが適当に互いに噛合った時に、隣接芯部材１２のスリーブ１４が軸方向に整合するように寸法が定められている。かくして、隣接芯部材１２は芯部材１２を互いに一方に片寄せるように回して段状隆起２８と凹部３０を噛合わせることにより速やかに整合させることができる。図示の実施例では、ハンドル３１が頂部の突出部材２０に設けてある。見ることが出来るように、ハンドル３１は円周の少ない一部に延びている。ハンドル３１は切欠き３３を備え、従って突出部材２０は適当に撓むことができる。好ましくは、ハンドル３１は突出部材２０にその一部として一体に形成される。
【０００８】
マガジン１０は更に上端の芯部材１２ａの頂部に上部シャッター組立品３６を備え下端芯部材１２ｆの近傍に下部シャッター組立品３８を備えている。各上下シャッター組立品３６，３８は実質的には同一構造同一動作で、従って一つのシャッター組立品についてのみ詳細に説明され、他のシャッター組立品が形状及び機能の面で同一であることが理解される。図３において、そこには下部シャッター組立品３８の展開図が示されており、この組立品は内側円板部材４０（これは芯部材１２の近傍に配置される）と外側円板部材４２を備えている。この図示された好ましい実施例では、円板部材４０，４２は形状が同じで、これにより製造費用が減少し、在庫すべき部品数を減少させることができる。各円板部材４０，４２は直径ｄの実質上円形の輪郭を備え、又部材４０，４２の回転軸芯Ｘ−Ｘと同芯の内側の円形開口４４を有する。この円板部材４０，４２はそれぞれ内側面４６と外側面４８とを備えている。内側面は互に隣接することができ、かつ後述するように中央の軸芯Ｘ−Ｘのまわりを回転できるような形状とされている。各円板部材４０，４２は芯部材のスリーブ１４に隣接し、円板部材が後述するように開位置へ回転しない限りフイルムカートリッジがマガジン内へ入り又はマガジンから取出されないように設計されている。円板部材４０，４２は夫々弓形に延びる弓状突起５２を備え、この突起は対応する円周方向に延びる溝５４内へ嵌入するように設計されている。出入口６０が各部材内に設けてあり、この出入口が整合するとフイルムカートリッジをスリーブ１４内へ挿入したりスリーブから取出し得るようになっている。両円板部材は又夫々１対の開口５５を備え、開口は好ましくは１８０°離れて配置されている。各開口５５の一端近傍にはスプリング５８の一端を受入れる孔５６が設けてあり、スプリングの他端は隣接円板部材内の孔５６に連結される。かくしてスプリング５８の一方の端部５９は円板部材４２の孔５６内に嵌り、スプリング部材５８の他方の端部６１は内側の円板部材４０の孔５６に嵌る。開口５５は部材４０，４２の回転につれてスプリング５８が干渉しないようにスプリングを受けることができる大きさに定められている。２個のスプリング５８が隣接円板部材４０，４２の夫々に適当に引掛けられると、円周方向の付勢力が発生して両円板部材を図４及び図８に示されている第１位置に付勢する。環状の突起５２と環状溝５４は一定の円周方向の長さを有するように設計され、隣接円板部材４０，４２が回転できる動き量を制限している。スプリング５８は円板部材４０，４２が通常閉じる位置に付勢され、これにより一方の円板の出入口６０を図４で示すように隣接した円板の出入口と異なる位置に保つ。この状態では、円板部材４０，４２はスリーブ１４を閉ざし、かくしてフイルムカートリッジをマガジン１０内へ入れたり、マガジンから分配することができなくなる。各突起５２は高さｈを備え、突起５２の頂部６８は実質的に隣接円板部材の外側面４８と同一平面にあり、もしカートリッジが開口６０近傍のスリーブ内にあっても、そのカートリッジは内側円板部材４０の分配開口６０内へ落込まない。両円板部材４０，４２は又側縁切欠き部４７，６９を備えてお���、これらは両円板部材４０，４２を互いに回転させるために使用することができる。各円板部材４０，４２の切欠き６０が図９に示すように円周方向で整合すると、分配開口７０ができ、これによりフイルムカートリッジはシャッター組立品により形成された分配開口７０に近接したスリーブへ挿入され又はスリーブから取出すことができる。
【０００９】
図８及び図９に関連して、そこにはシャッター組立品が写真仕上げ装置の境界に装着された状態が示されており、上記装置内にフイルムカートリッジを分配することができる。明瞭にするために、芯部材は示されたおらず、シャッター組立品の動作が示されるようにしてある。図８はシャッター組立品が通常閉じた位置にある状態を示しており、図９はシャッター組立品の開位置にある状態を示している。見ればわかるように、マガジン１０を支持するための機構が備えられている。特に、取付板８０が、代表的な写真仕上げ装置上に、下部シャッター組立品３８を支持するために設けられている。この取付板８０は内側円板部材４０上に形成された切欠き部６７と噛合うように設計された第１突起８２と外側円板部材４２上の切欠き部６７に噛合うように設計された第２突起８４とを備えている。上部突起８２は図８に示されている第１位置と図９に示されている第２位置の間に可動とされている。図示の特殊な実施例では、ソレノイド８が上記目的のために使用されている。しかしながら、突起８２は他の好ましい機構により動かすことができることを理解すべきである。突起８４は外側円板部材を制止して、それが矢印８７の方向に回動することを阻止する。動作時に切欠き部６７に係合している突起８２は、内側円板部材４０を図９に示す位置に回動させ、かくして内側円板部材４０の出入口６０が外側円板部材４２上の出入口６０と整合し、図９に示されている分配口７０を形成している。この位置で、スプリング５８は引張状態にある。かくして、ソレノイド８６が非励磁となると、スプリング５８が円板部材４０，４２を図８に示す通常閉位置に戻す。円板部材４０，４２を相互に回すために、他の機構又は装置を使用し得ることを理解すべきである。それらが相互に動くことにより出入口６０が整合して開口７０が形成されることのみが必要である。図８と図９に示されているように、突起５２と噛合溝５４は必要以上の動きを阻止するために設計されている。特に、突起５２は内端９１と外端９３とを有する。外側円板部材４２の突起５２の外端は内側円板部材４０の溝５４の内端９４と衝合する。同様に、円板４０（図示せず）の突起５２の端部９３は円板４２の溝５４の端部９４に衝合して２枚の円板の他方向への動きを制限する。このようにして、２個の円板部材４０，４２の図９に示す全開位置と図８の全閉位置間の相対的な動きを制限するための積極的な手段が用意され、カートリッジの可能な事故による脱出を最小限に保持している。
【００１０】
図６に示すように、内側及び外側の円板部材４０，４２は夫々出張り部分１９を持つ内側ハブ１８を備えている。上部シャッター組立品３６の外側円板４２の出張り部分１９は上部シャッター組立品３６を上端の芯部材１２に保持するために使用されている。下部シャッター組立品３８の外側円板４２の出張り部分１９が保持舌部に係合するように設計されているので、ロックキャップ９５は下部シャッター組立品３８をマガジン（図６参照）に保持するために使用されている。このキャップ９５は舌部１０２を持つ内側突出部材１０１を備え、舌部は下端の芯部材１２ｅの保持用凹部３２と噛合うように設計されており、従って下部シャッター組立品３８がマガジンに保持されている。突起１０１の長さは芯部材１２が互いに軸芯Ｘ−Ｘのまわりで容易に回転できる程度に定められている。
【００１１】
図１に示されているように、摺動可能な錠部材２１がシャッター組立品３６，３８を芯部材１２に対して所定位置にロックするために設けられており、芯部材相互の回転が阻止されている。錠部材２１が外れている時、例えば、マガジンが板８０に装着されていると、各円板４０は互いに回転自在である。
【００１２】
各種の変形及び変更が本発明の範囲を越えることなく可能である。本発明は前記特許請求の範囲により限定されている。
【図面の簡単な説明】
【図１】本発明により作られたマガジンの展開図である。
【図２】図１のマガジンの組立拡大図である。
【図３】図１のシャッター組立品の一つの拡大図である。
【図４】図２のマガジンの上部の展開拡大図である。
【図５】図４のマガジンの６−６線に沿う部分拡大断面図で、マガジンの頂部芯部材がどのように頂部シャッターに連結されるかを示している。
【図６】図４の６−６線に沿う部分拡大断面図で、下部キャップ部材が下部シャッターをどのように最下端の芯部材に連結しているかを示している。
【図７】１対の隣接した芯部材の図４の６−６線に沿う断面図で、芯部材がどのように連結されているかを示している。
【図８】閉位置の下部シャッター機構が図１のマガジンを支持するように設計された写真仕上げ装置にどのように係合するかを示す図面である。
【図９】図８と同様な図面で、開位置の下部シャッターを示しており、最下端の芯部材内のフイルムカートリッジが隣接した写真仕上げ装置へ放出される処である。
【符号の説明】
１０      マガジン
１２ａ−ｆ  芯部材
１４      スリーブ
１５      フイルムカートリッジ
１８      ハブ
１９      出張り部分
２０      突出部材
２１      錠部材
２３      環状凹部
２６      環状突出部材
２８      段状隆起
３０      段状凹部
３１      ハンドル
３２      対応する段状凹部
３３      切欠き
３４      段状突起
３６、３８  シャッター組立品
４０      内側円板
４２      外側円板
４４      円形開口
４６      内側面
４８      外側面
５２      弓状突起
５４      円周方向溝
５５      開口
５６      孔
５８      スプリング
５９、６１  端部
６０      出入口
６７、６９  切欠き部
６８      頂部
７０      分配開口
８０      取付板
８２      第１突起
８４      第２突起
８６      ソレノイド
８７      矢印
９１      内端
９３      外端
９４      内端
９５      キャップ
１０１    内側突出部材
１０２    舌部
【図１】
0003618851.tif 000002
【図２】
0003618851.tif 000003
【図３】
0003618851.tif 000004
【図４】
0003618851.tif 000005
【図５】
0003618851.tif 000006
【図６】
0003618851.tif 000007
【図７】
0003618851.tif 000008
【図８】
0003618851.tif 000009
【図９】
0003618851.tif 000010